(57)【要約】  【課題】コンパクトに収納可能な伸縮性ハンガーを提供する。  【解決手段】衣服を掛けるハンガー本体１と、当該ハンガー本体１に対して出し入れできる左右一対の伸縮アーム２とを具備する和服用ハンガーＨにおいて、前記ハンガー本体１が、少なくとも左右一対の第一屈曲杆１３と、当該左右一対の第一屈曲杆１３を揺動可能な状態で連結し、ハンガー本体１を略中央部にて屈曲させる第一屈曲部１４とを有し、当該第一屈曲部１４を用いて、前記左右一対の第一屈曲杆１３同士を直列状に位置する姿勢と、前記伸縮アーム２をハンガー本体１に退縮させた状態で左右一対の第一屈曲杆１３同士を並列状に位置する姿勢とに姿勢変更可能に構成した。  【選択図】図１
0003105734.tif 000002
【実用新案登録請求の範囲】
【請求項１】
衣服を掛けるハンガー本体と、当該ハンガー本体に対して出し入れできる左右一対の伸縮アームとを具備する和服用ハンガーにおいて、
前記ハンガー本体が、少なくとも左右一対の第一屈曲杆と、当該左右一対の第一屈曲杆を揺動可能な状態で連結し、ハンガー本体を略中央部にて屈曲させる第一屈曲部とを有し、当該第一屈曲部を用いて、前記左右一対の第一屈曲杆同士を直列状に位置する姿勢と、前記伸縮アームをハンガー本体に退縮させた状態で左右一対の第一屈曲杆同士を並列状に位置する姿勢とに姿勢変更可能に構成したことを特徴とすることを和服用ハンガー。
【請求項２】
前記ハンガー本体上を摺動可能な筒状の第一ロック杆を備え、当該第一ロック杆をハンガー本体に外嵌し、ハンガー使用時には前記第一ロック杆を前記第一屈曲部上に位置させてハンガー本体の揺動を規制すると共に、ハンガー不使用時には前記第一ロック杆を第一屈曲部上から退避する位置にスライドさせて前記ハンガー本体を屈曲可能とするように構成したことを特徴とする請求項１記載の和服用ハンガー。
【請求項３】
前記第一ロック杆に、ハンガー全体を吊持するための掛止具を取付けたことを特徴とする請求項２記載の和服用ハンガー
【請求項４】
左右一対の第二屈曲杆を有する小物掛け本体と、この小物掛け本体を前記ハンガー本体に支持させる左右一対の支持杆と、前記左右一対の第二屈曲杆を揺動可能な状態で連結し、両者を前記第一屈曲部の屈曲動作に合わせた状態に屈曲させる第二屈曲部と、前記小物掛け本体と支持杆とを揺動可能な状態で連結し、両者を第二屈曲部の屈曲動作に合わせた状態に屈曲させる第三屈曲部と、前記支持杆と前記ハンガー本体とを揺動可能な状態で連結し、両者を第三屈曲部の屈曲動作に合わせた状態に屈曲させる第四屈曲部とを有する小物掛けを具備し、
前記第二屈曲部乃至第四屈曲部を用いて、前記左右一対の第二屈曲杆同士を直列状に位置する姿勢と、前記左右一対の第二屈曲杆同士を前記左右一対の第一屈曲杆と並列状に位置する姿勢に姿勢変更可能とに構成したことを特徴とすることを特徴とする請求項１乃至３記載の和服用ハンガー。
【請求項５】
第一連結杆と、この第一連結杆の左右端部に第一固定軸を介して各々揺動自在に軸支される左右一対の第一屈曲杆とから構成したハンガー本体と、前記ハンガー本体に外嵌され、当該ハンガー本体上を摺動可能な第一ロック杆とを有し、ハンガー使用時には前記第一ロック杆を、前記第一連結杆と左右一対の第一屈曲杆とを横架する位置にスライドさせて左右一対の第一屈曲杆の揺動を規制し、直列状に位置する姿勢を保持すると共に、ハンガー不使用時には、前記第一ロック杆を前記第一連結杆と左右一対の第一屈曲杆とを横架しない退避位置にスライドさせて前記ハンガー本体を屈曲可能とし、前記伸縮アームを前記第一屈曲杆内に全退縮操作した状態において、前記左右一対の第一屈曲杆同士を並列状に位置する姿勢に姿勢変更可能に構成したことを特徴とする請求項１乃至４記載の和服用ハンガー。
【請求項６】
第二連結杆と、この第二連結杆の左右端部に第二固定軸を介して各々揺動自在に軸支される左右一対の第二屈曲杆とから構成した小物掛け本体と、前記小物掛け本体に外嵌され、当該小物掛け本体上を摺動可能な第二ロック杆とを有し、ハンガー使用時には前記第二ロック杆を、前記第二連結杆と左右第二屈曲杆とを横架する位置にスライドさせて左右第二屈曲杆の揺動を規制し、前記左右一対の第二屈曲杆同士を直列状に位置する姿勢に保持すると共に、ハンガー不使用時には、前記第二ロック杆を前記第二連結杆と左右一対の第二屈曲杆とを横架しない退避位置にスライドさせて前記小物掛け本体を前記ハンガー本体の屈曲動作に合わせた状態に屈曲可能とし、前記左右一対の第二屈曲杆同士を前記左右一対の第一屈曲杆と並列状に位置する姿勢に姿勢変更可能に構成したことを特徴とする請求項１乃至５記載の和服用ハンガー。
【考案の詳細な説明】
【技術分野】
【０００１】
本考案は、伸縮式の和服用ハンガーに関する。
【背景技術】
【０００２】
この種の伸縮式の和服用ハンガーは、直管状のハンガー本体と、ハンガー本体に対して出し入れできる左右一対の伸縮アームとで構成し、各伸縮アームを伸長操作すると、ハンガーの全長をハンガー本体の約３倍程度にまで拡大できる。
【０００３】
そして、ハンガー不使用時には、コンパクトに収納するために前記ハンガー本体に対して前記伸縮アームを全退縮させることができる。
（例えば、特許文献１を参照）。
【特許文献１】実開昭５５−１２４２３６号
【考案の開示】
【考案が解決しようとする課題】
【０００４】
しかし、この種の和服用ハンガーは、例えその全長を最大限に短縮した状態としても、その長さを前記ハンガー本体の長さ寸法以下に短縮することは不可能である。一方、ハンガー本体は、前記伸縮アームを収納する関係等から、ある程度の長さ寸法を確保する必要があり、例え伸縮アームを全退縮させてハンガー本体と同様の長さまで短縮したとしても、到底コンパクトとは言いがたいものであった。
【課題を解決するための手段】
【０００５】
そこで、本考案は、前述の如き課題を解決するために、衣服を掛けるハンガー本体と、当該ハンガー本体に対して出し入れできる左右一対の伸縮アームとを具備する和服用ハンガーにおいて、前記ハンガー本体が、少なくとも左右一対の第一屈曲杆と、当該左右一対の第一屈曲杆を揺動可能な状態で連結し、ハンガー本体を略中央部にて屈曲させる第一屈曲部とを有し、当該第一屈曲部を用いて、前記左右一対の第一屈曲杆同士を直列状に位置する姿勢と、前記伸縮アームをハンガー本体に退縮させた状態で左右一対の第一屈曲杆同士を並列状に位置する姿勢とに姿勢変更可能に構成した。
【０００６】
これにより、伸縮アームを退縮できるだけでなく、ハンガー本体をも折り畳み可能とし、ハンガーを使用しない際にも邪魔にならずコンパクトに収納しておける構成を実現した。
【０００７】
更に、簡易な構成で安定した使用状態を確保するためには、前記ハンガー本体上を摺動可能な筒状の第一ロック杆を備え、当該第一ロック杆をハンガー本体に外嵌し、ハンガー使用時には前記第一ロック杆を前記第一屈曲部上に位置させてハンガー本体の揺動を規制すると共に、ハンガー不使用時には前記第一ロック杆を第一屈曲部上から退避する位置にスライドさせて前記ハンガー本体を屈曲可能とするように構成することが望ましい。
【０００８】
また、前記第一ロック杆に、ハンガー全体を吊持するための掛止具を取付けることにより、例えば、ハンガー使用時のみならずハンガー不使用時つまりハンガー本体を折り畳んだ状態においても、前記掛止具を好適な位置にスライドさせて利用することができる。
【０００９】
加えて、左右一対の第二屈曲杆を有する小物掛け本体と、この小物掛け本体を前記ハンガー本体に支持させる左右一対の支持杆と、前記左右一対の第二屈曲杆を揺動可能な状態で連結し、両者を前記第一屈曲部の屈曲動作に合わせた状態に屈曲させる第二屈曲部と、前記小物掛け本体と支持杆とを揺動可能な状態で連結し、両者を第二屈曲部の屈曲動作に合わせた状態に屈曲させる第三屈曲部と、前記支持杆と前記ハンガー本体とを揺動可能な状態で連結し、両者を第三屈曲部の屈曲動作に合わせた状態に屈曲させる第四屈曲部とを有する小物掛けを具備し、前記第二屈曲部乃至第四屈曲部を用いて、前記左右一対の第二屈曲杆同士を直列状に位置する姿勢と、前記左右一対の第二屈曲杆同士を前記左右一対の第一屈曲杆と並列状に位置する姿勢に姿勢変更可能に構成することが考えられる。
【００１０】
このような構成を採用することで、コンパクトな収納というメリットを損なうことなく、便利な小物掛けを備えた和服用ハンガーを構成できる。
【００１１】
更に、具体的な実施の態様としては、第一連結杆と、この第一連結杆の左右端部に第一固定軸を介して各々揺動自在に軸支される左右一対の第一屈曲杆とから構成したハンガー本体と、前記ハンガー本体に外嵌され、当該ハンガー本体上を摺動可能な第一ロック杆とを有し、ハンガー使用時には前記第一ロック杆を、前記第一連結杆と左右一対の第一屈曲杆とを横架する位置にスライドさせて左右一対の第一屈曲杆の揺動を規制し、直列状に位置する姿勢を保持すると共に、ハンガー不使用時には、前記第一ロック杆を前記第一連結杆と左右一対の第一屈曲杆とを横架しない退避位置にスライドさせて前記ハンガー本体を屈曲可能とし、前記伸縮アームを前記第一屈曲杆内に全退縮操作した状態において、前記左右一対の第一屈曲杆同士を並列状に位置する姿勢に姿勢変更可能に構成することが考えられる。
【００１２】
また、第二連結杆と、この第二連結杆の左右端部に第二固定軸を介して各々揺動自在に軸支される左右一対の第二屈曲杆とから構成した小物掛け本体と、前記小物掛け本体に外嵌され、当該小物掛け本体上を摺動可能な第二ロック杆とを有し、ハンガー使用時には前記第二ロック杆を、前記第二連結杆と左右第二屈曲杆とを横架する位置にスライドさせて左右第二屈曲杆の揺動を規制し、前記左右一対の第二屈曲杆同士を直列状に位置する姿勢に保持すると共に、ハンガー不使用時には、前記第二ロック杆を前記第二連結杆と左右一対の第二屈曲杆とを横架しない退避位置にスライドさせて前記小物掛け本体を前記ハンガー本体の屈曲動作に合わせた状態に屈曲可能とし、前記左右一対の第二屈曲杆同士を前記左右一対の第一屈曲杆と並列状に位置する姿勢に姿勢変更可能に構成してもよい。
【考案の効果】
【００１３】
本考案によれば、ハンガー本体に出し入れ可能な伸縮アームを有する和服用ハンガーを、前記ハンガー本体よりもコンパクトな状態に折り畳むことができ、ハンガーを使用しない際にも邪魔にならずに収納しておくとこができる。
【考案を実施するための最良の形態】
【００１４】
以下、本考案の一実施形態を、図面を参照して説明する。
【００１５】
この和服用ハンガーＨは、図１乃至図６に示す様に、和服を掛け止めるハンガー本体１と、ハンガー本体１に対して出し入れできる左右一対の伸縮アーム２と、ハンガー本体１に支持される上向きコの字状の小物掛け３と、ハンガー全体を吊持するための掛止具４とからなる。
【００１６】
更に、本考案の和服用ハンガーＨは、図６に示す様に、ハンガー不使用時には前記ハンガー本体１及び前記小物掛け３を後述する各屈曲部にて折りたたみ可能に構成すると共に、ハンガー使用時には、前記各屈曲部を使用状態にロックできる構成としている。
【００１７】
図１は、本考案の和服用ハンガーＨの全体斜視図を示している。また、図２は、和服用ハンガーＨの使用時を示す正面図であり、図６は、和服用ハンガーＨの不使用時、つまり折り畳み時を示す正面図である。
【００１８】
以下、各構成について具体的に詳述する。
【００１９】
ハンガー本体１は、第一連結杆１１と、この第一連結杆１１の左右端部に第一固定軸１２を介して各々揺動自在に軸支される左右一対の第一屈曲杆１３と、当該左右一対の第一屈曲杆１３を揺動可能な状態で連結し、ハンガー本体１を略中央部にて屈曲させる第一屈曲部１４とから構成している。
【００２０】
更に本実施の形態における和服用ハンガーＨは、当該ハンガー本体１に、ハンガー本体１上を摺動可能な第一ロック杆Ｒ１を外嵌し、前記第一屈曲部１４の屈曲を規制可能としている。
【００２１】
第一連結杆１１は、左右に長い円形プラスチック杆であり、その両端部に前記左右一対の第一屈曲杆１３の端部を外側より挟持する軸受け部を設け、前記第一固定軸１２を介して後述する左右一対の第一屈曲杆１３を軸支しているものである。
【００２２】
第一固定軸１２は、第一屈曲杆１３の端部より和服用ハンガーＨの前後方向に突出させ、前記第一屈曲杆１３と一体に形成している。
【００２３】
左右一対の第一屈曲杆１３は、略同形状とし、主として前記第一連結杆１１と略同径を成す左右に長い円形プラスチック管から構成している。また、当該内部は中空であり、後述する伸縮アーム２を収納可能な収容部を形成している。その外側端には、図示しない筒状のキャップを内嵌して接着固定しており、当該筒状のキャップは、前記伸縮アーム２の抜き出し限界を規定するストッパー機能を有している。
【００２４】
第一屈曲部１４は、前述の通り、左右一対の第一屈曲杆１３を第一連結杆１１に第一固定軸１２を介して揺動可能な状態で連結し、ハンガー本体１を略中央部にて屈曲させるものである。そして、当該第一屈曲部１４を用いて、図１に示す様に、前記左右一対の第一屈曲杆１３同士を直列状に位置する姿勢と、図６に示す様に、前記伸縮アーム２をハンガー本体１に退縮させた状態で左右一対の第一屈曲杆１３同士を並列状に位置する姿勢とに姿勢変更可能としている。
【００２５】
具体的には、ハンガー不使用時には折り畳み動作を契機として、図５に示すように、前記第一固定軸１２を中心に前記左右一対の第一屈曲杆１３同士が前記小物掛け３側に向かって相寄る。そして、両第一屈曲杆１３同士は、ハンガー本体１を屈曲する方向に揺動し、図６に示すように、左右一対の第一屈曲杆１３同士が並列状に位置する姿勢をとり、ハンガー本体１を略半分の長さ寸法に折り畳んだ状態とする。
【００２６】
尚、前記第一連結杆１１及び第一屈曲杆１３の下端側つまり小物掛け３側に双方の干渉を防止する干渉防止部を設けているため、互いが干渉せず前記左右第一屈曲杆１３同士が相寄る方向に揺動可能となっている。
【００２７】
一方、ハンガー使用時には、前記の揺動方向とは反対、つまり、左右一対の第一屈曲杆１３同士が直列状に位置する姿勢を成すまで前記第一固定軸１２を中心に、ハンガー本体１を開く方向に第一屈曲杆１３を揺動する。
【００２８】
尚、左右一対の第一屈曲杆１３と第一連結杆１１の内壁同士が当接することにより直列状に位置する姿勢を越えての屈曲は防止される。
【００２９】
第一ロック杆Ｒ１は、前記ハンガー本体１上を必要に応じて適当位置にスライド可能とし、主として左右に長い中空の円形プラスチック管にて構成する。当該第一ロック杆Ｒ１は、前記第一連結杆１１及び前記第一屈曲杆１３の外径より大なる内径を有すると共に、そのスライド方向の長さＷ１を前記第一連結杆１１と左右一対の第一屈曲杆１３とを横架するに足る長さＷ２よりも長く、前記第一屈曲杆１３の長さＷ３よりも短い長さとしている。本実施形態においては、後述する小物掛け３の連結リング３３が第一ロック杆Ｒ１のスライドを止めるストッパーとしての役割を果たすため、本実施形態における第一ロック杆Ｒ１の長さＷ１は、第一屈曲杆１３の内側端から前記連結リング３３までの長さＷ３よりも短い長さとなっている。
【００３０】
そして、ハンガー使用時には図１、図２に示す様に、当該第一ロック杆Ｒ１を、前記第一連結杆１１と左右一対の第一屈曲杆１３とを横架する位置にスライドさせて左右一対の第一屈曲杆１３の揺動を規制し、直列状に位置する姿勢を保持する。また、ハンガー不使用時には、図３に示す様に、前記第一ロック杆Ｒ１を前記第一連結杆１１と左右一対の第一屈曲杆１３とを横架しない退避位置にスライドさせて前記ハンガー本体１を屈曲可能とし、前記伸縮アーム２を前記第一屈曲杆１３内に全退縮操作した状態において、前記左右一対の第一屈曲杆１３同士を並列状に位置する姿勢とに姿勢変更可能に構成している。
【００３１】
左右一対の伸縮アーム２は、ハンガー本体１に出し入れ自在に内嵌した中間アーム２１と、この中間アーム２１に出し入れ自在に内嵌した先端アーム２２にて構成し、必要に応じてその長さ寸法を伸縮自在としている。
【００３２】
左右一対の中間アーム２１は、ハンガー本体１より小径の円形プラスチック管からなり、そのハンガー本体１側の内端外周面にハンガー本体１の内面でスライド案内されるリングを接着固定し、反ハンガー本体１側の外端にはハンガー本体１の内径より大なる径を有するストッパリング２１aを接着固定してある。
【００３３】
左右一対の先端アーム２２は、中間アーム２１より小径の円形プラスチック管からなり、中間アーム２１と同様にその内端外周面に中間アーム２１の内面でスライド案内されるリングを接着固定し、外端周面に中間アーム２１の内径より大なる径を有するストッパキャップ２２aを外嵌し接着固定してある。
【００３４】
各中間アーム２１は、その管周面がハンガー本体１に固定したキャップで支持され、同時に中間アーム２１に設けたリングがハンガー本体１の内面で支持されて、ハンガー本体１に対して出退スライドできる。前記リングが前記キャップに当接することで、ハンガー本体１からの中間アーム２１の抜け止めが図られている。 同様に先端アーム２２は、その管周面が中間アーム２１のキャップで支持され、同時にリングが中間アーム２１の内面で支持されて、中間アーム２１に対して出退スライドできる。前記リングが前記キャップに当接することで中間アーム２１からの先端アーム２２の抜け止めが図られている。
【００３５】
小物掛け３は、小物を掛ける小物掛け本体３１と、この小物掛け本体３１を連結リング３３を介して前記ハンガー本体１に支持させる左右一対の支持杆３２と、前記小物掛け本体３１を構成する左右一対の第二屈曲杆３１ｃを揺動可能な状態で連結し、両者を前記第一屈曲部１４の屈曲動作に合わせた状態に屈曲させる第二屈曲部３１ｄと、前記小物掛け本体３１と支持杆３２とを揺動可能な状態で連結し、両者を第二屈曲部３１ｄの屈曲動作に合わせた状態に屈曲させる第三屈曲部３４と、前記支持杆３２杆と前記ハンガー本体１とを揺動可能な状態で連結し、両者を第三屈曲部３４の屈曲動作に合わせた状態に屈曲させる第四屈曲部３５とを有する。そして、前記第二屈曲部３１ｄ乃至第四屈曲部３５を用いて、前記左右一対の第二屈曲杆３１ｃ同士を直列状に位置する姿勢と、前記左右一対の第二屈曲杆３１ｃ同士を前記左右一対の第一屈曲杆１３と並列状に位置する姿勢に姿勢変更可能に構成している。
【００３６】
小物掛け本体３１は、第二連結杆３１aと、この第二連結杆３１aの左右端部に第二固定軸３１ｂを介して各々揺動自在に軸支される左右一対の第二屈曲杆３１ｃと、当該左右一対の第二屈曲杆３１ｃを揺動可能な状態で連結し、小物掛け本体３１を略中央部にて屈曲させる第二屈曲部３１ｄとから構成している。更に本実施の形態における和服用ハンガーＨは、当該小物掛け本体３１に、小物掛け本体３１上を摺動可能な第二ロック杆Ｒ2を外嵌し前記第二屈曲部３１ｄの屈曲を規制可能としている。
【００３７】
第二連結杆３１aは、左右に長い円形プラスチック杆であり、その両端部に前記左右一対の第二屈曲杆３１ｃの端部を外側より挟持する軸受け部を設け、前記第二固定軸３１ｂを介して後述する左右一対の第二屈曲杆３１ｃを軸支している。
【００３８】
第二固定軸３１ｂは、後述する第二屈曲杆３１ｃの端部より和服ハンガーＨの前後方向に突出する状態で、前記第二屈曲杆３１ｃと一体に形成している。
【００３９】
左右一対の第二屈曲杆３１ｃは、略同形状のものとし、主として前記第二連結杆３１aと略同径を成す左右に長い中空の円形プラスチック管から構成している。その外側端には、図示しない筒状のキャップを内嵌して接着固定しており、当該筒状のキャップは、後述する第二ロック杆Ｒ2のストッパー機能を有している。
【００４０】
第二屈曲部３１ｄは、前述の通り、左右一対の第二屈曲杆３１ｃを第二連結杆３１aに第二固定軸３１ｂを介して揺動可能な状態で連結し、小物掛け本体３１を略中央部にて屈曲させるものである。そして、当該第二屈曲部３１ｄを用いて、図１に示す様に、前記左右一対の第二屈曲杆３１ｃ同士を直列状に位置する姿勢と、図６に示す様に、ハンガー不使用時には、前記第二ロック杆Ｒ2を前記第二連結杆３１aと左右一対の第二屈曲杆３１ｃとを横架しない退避位置にスライドさせて前記小物掛け本体３１を前記ハンガー本体１の屈曲動作に合わせた状態に屈曲可能とし、前記左右一対の第二屈曲杆３１ｃ同士を前記左右一対の第一屈曲杆１３と並列状に位置する姿勢に姿勢変更可能としている。
【００４１】
具体的には、ハンガー不使用時つまりハンガーを折り畳む際には、折り畳み動作を契機として、前記第二固定軸３１ｂを中心に前記左右一対の第二屈曲杆３１ｃ同士が前記小物掛側に向かって相寄る。そして、両第二屈曲杆３１ｃ同士は、小物掛け本体３１を閉じる方向に揺動し、左右一対の第二屈曲杆３１ｃ同士が並列状に位置する姿勢をとることで、小物掛け本体３１を略半分の長さ寸法に屈曲させる。
【００４２】
一方、ハンガー使用時には、前記の揺動方向とは反対、つまり、左右一対の第二屈曲杆３１ｃ同士が直列状に位置する姿勢を成すまで前記第二固定軸３１ｂを中心に、小物掛け本体３１を開く方向に第二屈曲杆３１ｃを揺動する。
【００４３】
第二ロック杆Ｒ2は、周面に滑り止め用のリブ群を有する左右に長い中空の円形プラスチック管にて構成している。当該第二ロック杆Ｒ2は、前記小物掛け本体３１上を必要に応じて適当位置にスライド可能なものである。そして、当該第二ロック杆Ｒ2は、前記第二連結杆３１a及び前記第二屈曲杆３１ｃの外径より大なる内径を有すると共に、そのスライド方向の長さＷ５を前記第二連結杆３１aと左右一対の第二屈曲杆３１ｃとを横架するに足る長さＷ６よりも長く、前記第二屈曲杆３１ｃの長さＷ７よりも短い長さとしている。
【００４４】
そして、ハンガー使用時には図１、図２に示す様に、当該第二ロック杆Ｒ2を、前記第二連結杆３１aと左右一対の第二屈曲杆３１ｃとを横架する位置にスライドさせて左右一対の第二屈曲杆３１ｃの揺動を規制し、直列状に位置する姿勢を保持する。また、ハンガー不使用時には、図３に示す様に、前記第二ロック杆Ｒ2を前記第二連結杆３１aと左右一対の第二屈曲杆３１ｃとを横架しない退避位置にスライドさせて前記ハンガー本体１を屈曲可能とし、前記ハンガー本体１の屈曲動作に合わせて、前記左右一対の第二屈曲杆３１ｃ同士を並列状に位置する姿勢に姿勢変更可能に構成している。
【００４５】
左右一対の支持杆３２は、この小物掛け本体３１を連結リング３３を介して前記ハンガー本体１に揺動可能に支持させるリンク部材としての役割を果たすものである。具体的には、当該支持杆３２の下端部を二股に分かれさせ、小物掛け本体３１から上方に突出した取付片を挟持した状態で当該支持杆３２と小物掛け本体３１とを揺動可能な状態に軸支している。一方、当該支持杆３２の上端部を、ハンガー本体１に外嵌固定した連結リング３３から垂下する取付片間に挟持した状態で当該支持杆３２とハンガー本体１とを揺動可能な状態に軸支している。
【００４６】
第三屈曲部３４は、前記支持杆３２の下端部を二股に分かれさせ、小物掛け本体３１から上方に突出した取付片を挟持した状態で当該支持杆３２と小物掛け本体３１とを揺動可能な状態に軸支し、両者を第二屈曲部３１ｄの屈曲動作に合わせた状態で屈曲させるものである。
【００４７】
そして、当該第三屈曲部３４を用いて、図２に示す様に、ハンガー使用時には前記左右一対の支持杆３２と小物掛け本体３１とが垂交する姿勢を形成し、ハンガー不使用時には、図６に示す様に、前記左右一対の支持杆３２と前記左右一対の第二屈曲杆３１ｃとを並列状に位置する姿勢に姿勢変更可能としている。
【００４８】
具体的には、ハンガー不使用時つまりハンガーを折り畳む際には、当該第三屈曲部３４は谷折方向に屈曲し、前記左右一対の支持杆３２は、前記小物掛け本体３１側に向かって相寄る。そして、前記支持杆３２は、ハンガー本体１を閉じる方向に揺動し、左右一対の支持杆３２同士が並列状に位置する姿勢をとる。
【００４９】
一方、ハンガー使用時には、前記の揺動方向とは反対、つまり、支持杆３２と小物掛け本体３１とが離間する方向に揺動し、前記支持杆３２と小物掛け本体３１とが垂交する状態を形成する。
【００５０】
第四屈曲部３５は、前記支持杆３２の上端部を、ハンガー本体１に外嵌固定した連結リング３３から垂下する取付片間に挟持した状態で当該支持杆３２とハンガー本体１とを揺動可能な状態に軸支することで、前記支持杆３２杆と前記ハンガー本体１とを揺動可能な状態で連結し、両者を第三屈曲部３４の屈曲動作に合わせた状態で屈曲させる。
【００５１】
そして、当該第四屈曲部３５を用いて、図２に示す様に、ハンガー使用時には前記左右一対の支持杆３２とハンガー本体１とが垂交する姿勢を形成し、ハンガー不使用時には、図６に示す様に、前記左右一対の支持杆３２と前記左右一対の第一屈曲杆１３とを並列状に位置する姿勢に姿勢変更可能としている。
【００５２】
具体的には、ハンガー不使用時つまりハンガーを折り畳む際には、当該第四屈曲部３５は山折方向に屈曲し、前記左右一対の支持杆３２は、前記ハンガー本体１側に向かって相寄る。そして、前記支持杆３２は、ハンガー本体１を閉じる方向に揺動し、左右一対の支持杆３２同士が並列状に位置する姿勢をとる。
【００５３】
一方、ハンガー使用時には、前記の揺動方向とは反対、つまり、支持杆３２とハンガー本体１とが離間する方向に揺動し、前記支持杆３２とハンガー本体１とが垂交する状態を形成する。
【００５４】
掛止具４は、前記第一ロック杆Ｒ１の左右端部近傍に外嵌して接着固定した一対の吊持リング４１と、両吊持リング４１に止め付けた吊持紐４２と、この吊持紐４２を前記吊持リング４１に止めつける止め部材４３にて構成され、前記第一ロック杆Ｒ１に、ハンガー全体を吊持する状態で取付けられている。
【００５５】
次に、本実施形態の和服用ハンガーＨの折り畳み工程について説明する。
【００５６】
まず、図３に示すように、第一ロック杆Ｒ１及び第二ロック杆Ｒ2を退避位置にスライドさせた後、図４に示すように、左右の伸縮アーム２を左右の第一屈曲杆１３内に全退縮させる。そして、第一屈曲部１４及び第二屈曲部３１ｄを用いてハンガー本体１及び小物掛け本体３１を山折方向に屈曲させていく。すると、図５に示すように、前記第一固定軸１２を中心に前記左右一対の第一屈曲杆１３同士が前記小物掛け３側に向かって相寄る。そして、両第一屈曲杆１３同士は、ハンガー本体１を閉じる方向に揺動し、図６に示すように、左右一対の第一屈曲杆１３同士が並列状に位置する姿勢をとることで、ハンガー本体１を略半分の長さ寸法に折る。
【００５７】
また、ハンガー本体１の折り畳み動作に伴って、当該ハンガー本体１に取付けられた小物掛け３も折り畳まれていく。具体的には、前記第二固定軸３１ｂを中心に前記左右一対の第二屈曲杆３１ｃ同士が相寄る。そして、両第二屈曲杆３１ｃ同士は、ハンガー本体１を閉じる方向に揺動し、左右一対の第二屈曲杆３１ｃ同士が並列状に位置する姿勢をとる。
【００５８】
一方、小物掛け本体３１の屈曲に合わせて、支持杆３２にて連結された第一屈曲杆１３と第二屈曲杆３１ｃは、第三屈曲部３４にて谷折りされると共に第四屈曲部３５にて山折され左右一対の支持杆３２が前記小物掛け本体３１側に向かって相寄る。そして、前記支持杆３２は、ハンガー本体１を閉じる方向に揺動し、左右一対の支持杆３２同士が並列状に位置する姿勢をとる。
【００５９】
尚、本実施の形態の和服用ハンガーＨは、図６の折り畳み状態において、その全長を４５ｃｍにすることができる。
【００６０】
一方、ハンガー使用時には、上述の工程と逆の工程を辿る事となる。
【００６１】
以上の構成を採用したことにより、伸縮アーム２を退縮できるだけでなく、ハンガー本体１をも折り畳み可能とし、ハンガーを使用しない際にも邪魔にならずコンパクトに収納しておける和服用ハンガーＨの構成を実現した。
【００６２】
更に、第一ロック杆Ｒ１及び第二ロック杆Ｒ２を備えているため、ハンガー使用時には簡易な構成で安定した使用状態を確保することができる。
【００６３】
また、前記第一ロック杆Ｒ１に、ハンガー全体を吊持するための掛止具４を取付けることにより、例えば掛止具４は、図１、図２に示すように、ハンガー使用時にハンガー全体を吊持するのみならず、図６に示すように、ハンガー不使用時つまりハンガー本体１を折り畳んだ状態においても、前記掛止具４は、を好適な位置にスライドさせて利用することができる。
【００６４】
加えて、ハンガー本体１に支持される小物掛け３をも折りたたみ可能としているため、コンパクトな収納というメリットを損なうことなく、便利な小物掛け３を備えた和服用ハンガーＨを構成できる。
【００６５】
なお、本考案における構成は、以上説明したものに限定されないのは勿論である。例えば、本実施の形態においては、左右一対の第一屈曲杆１３を第一連結杆１１を介して連結しているが、両者を直接連結しても良い。同様に、本実施の形態においては、左右一対の第二屈曲杆３１ｃを第二連結杆３１aを介して連結しているが、両者を直接連結しても構わない。
【００６６】
更に、小物掛け３を有しない態様や、第一ロック杆Ｒ１、第二ロック杆Ｒ2を設けない態様も考えられる。
【図面の簡単な説明】
【００６７】
【図１】本考案の一実施形態に係る和服ハンガーの全体斜視図。
【図２】同実施形態に係る和服ハンガーの使用状態を示す正面図。
【図３】同実施形態に係る和服ハンガーの折り畳み工程を示す正面図。
【図４】同実施形態に係る和服ハンガーの折り畳み工程を示す正面図。
【図５】同実施形態に係る和服ハンガーの折り畳み工程を示す正面図。
【図６】同実施形態に係る和服ハンガーの折り畳み工程を示す正面図。
【符号の説明】
【００６８】
Ｈ・・・和服用ハンガー
Ｒ１・・・第一ロック杆
Ｒ２・・・第二ロック杆
１・・・ハンガー本体
２・・・伸縮アーム
３・・・小物掛け
４・・・掛止具
１１・・・第一連結杆体
１２・・・第一固定軸
１３・・・第一屈曲杆
１４・・・第一屈曲部
３１・・・小物掛け本体
３１a・・・第二連結杆体
３１ｂ・・・第二固定軸
３１ｃ・・・第二屈曲杆
３１ｄ・・・第二屈曲部
３２・・・取付杆
３４・・・第三屈曲部
３５・・・第四屈曲部
【図１】
0003105734.tif 000003
【図２】
0003105734.tif 000004
【図３】
0003105734.tif 000005
【図４】
0003105734.tif 000006
【図５】
0003105734.tif 000007
【図６】
0003105734.tif 000008